(57)【要約】      （修正有）【課題】シート部材供給カセットが引き出し位置から作用位置に移動せしめられる最終段階において前側幅規制手段及び後側幅規制手段、特に後側幅規制手段に相当大きな衝撃が加えられても、前側幅規制手段及び後側幅規制手段が前後方向に移動乃至振動されることが確実に防止されること。【解決手段】ロック部材１２４は前側幅規制手段２２の延出部３４及び後側幅規制手段２４の延出部４０に略垂直に延びる延長部１２８を有し、延長部にはラック１２９が刻設されており、ロック部材がロック位置に強制せしめられると延長部のラックがピニオン歯車に係合せしめられて、前側幅規制手段及び後側幅規制手段が互いに近づく方向に所定距離移動せしめられて前側幅規制手段の直立規制壁及び後側幅規制手段の直立規制壁がシート部材の周縁に押圧せしめられる。【選択図】図４
2005206340.tif 000002
【特許請求の範囲】
【請求項１】
ハウジングと、該ハウジング内の作用位置と該作用位置から前方に引き出された引き出し位置との間を前後方向に移動自在に該ハウジングに装着されたシート部材供給カセットとを具備し、該シート部材供給カセットは容器本体と該容器本体に前後方向に移動自在に配設された前側幅規制手段及び後側幅規制手段とを含み、該前側幅規制手段は後方に延出する延出部を有する底壁と該底壁から上方に延びる直立規制壁とを有し、該後側幅規制手段は前方に延出する延出部を有する底壁と該底壁から上方に延びる直立規制壁とを有し、該容器本体には相互に平行に延びる該前側幅規制手段の該延出部と該後側幅規制手段の該延出部との間に位置する回転自在なピニオン歯車が配設されており、該前側幅規制手段の該延出部と該後側幅規制手段の該延出部とには該ピニオン歯車に係合せしめられるラックが刻設されており、
更に、該シート部材供給カセットの該容器本体に配設されたロック部材及び弾性偏倚手段並びに該ハウジングに配設された強制手段から成るロック機構を具備し、
該ロック部材は該前側幅規制手段の該延出部及び該後側幅規制手段の該延出部に近づくロック位置と該前側幅規制手段の該延出部及び該外側幅規制手段の該延出部から離隔する解除位置との間を移動自在に配設されており、
該弾性偏倚手段は該ロック部材を該解除位置に弾性的に偏倚せしめ、該強制手段は該シート部材供給カセットが該引き出し位置から該作用位置に向けて所定位置を越えて後方に移動せしめられると、該ロック部材に作用して該弾性偏倚手段に抗して該ロック部材を該ロック位置に強制し、
該ロック部材は該前側幅規制手段の該延出部及び該後側幅規制手段の該延出部に略垂直に延びる延長部を有し、該延長部にはラックが刻設されており、該ロック部材が該ロック位置に強制せしめられると該延長部のラックが該ピニオン歯車に係合せしめられて該ピニオン歯車が回転され、該前側幅規制手段及び該後側幅規制手段が互いに近づく方向に所定距離移動せしめられて該前側幅規制手段の該直立規制壁及び該後側幅規制手段の該直立規制壁がシート部材の周縁に押圧せしめられる、
ことを特徴とする画像形成機。
【請求項２】
該ピニオン歯車は該ロック部材の該延長部に刻設された該ラックが係合せしめられる上部係合部、該前側幅規制手段の該延出部と該後側幅規制手段の該延出部とに刻設された該ラックが係合せしめられている下部係合部、及び該上部係合部と該ピニオン歯車の回転軸との間或いは該下部係合部と該ピニオン歯車の該回転軸との間に配設されたトルクリミッタを具備しており、該ロック部材が該ロック位置に強制せしめられると該延長部のラックが該ピニオン歯車に係合せしめられて該ピニオン歯車が回転され、該前側幅規制手段及び該後側幅規制手段が互いに近づく方向に所定距離移動せしめられて該前側幅規制手段の該直立規制壁及び該後側幅規制手段の該直立規制壁がシート部材の周縁に所定圧力で押圧せしめられる請求項１記載の画像形成機。
【発明の詳細な説明】
【技術分野】
【０００１】
本発明は、画像形成機、更に詳しくは、ハウジングと、このハウジング内の作用位置とこの作用位置から前方に引き出された引き出し位置との間を前後方向に移動自在にハウジングに装着されたシート部材供給カセットと、を具備する画像形成機に関する。
【背景技術】
【０００２】
静電複写機及び静電印刷機の如き画像形成機においては、画像を形成すべき普通紙の如きシート部材を供給するためにシート部材供給カセットが利用されている。そして、かかるシート部材供給カセットとしては、近時においては、所謂「フロントローディング型」と称される形態、即ち画像形成機のハウジング内の所定作用位置とこの作用位置から前方に引き出された引き出し位置との間を前後方向に移動自在に装着された形態であると共に、所謂「ユニバーサル型」と称される形態、即ち種々の寸法のシート部材に適用され得る形態であるシート部材供給カセットが広く実用に供されている。ユニバーサル型のシート部材供給カセットは、容器本体とこの容器本体に前後方向に移動自在に配設された前側幅規制手段及び後側幅規制手段とを含んでいる。前側幅規制手段は後方に延出する延出部を有する底壁とこの底壁から上方に延びる直立規制壁とを有し、後側幅規制手段は前方に延出する延出部を有する底壁とこの底壁から上方に延びる直立規制壁とを有する。容器本体には相互に平行に延びる前側幅規制手段の上記延出部と後側幅規制手段の上記延出部との間に位置する回転自在なピニオン歯車が配設されており、前側幅規制手段の上記延出部と後側幅規制手段の上記延出部とには上記ピニオン歯車に係合せしめられるラックが刻設されている。従がって、前側幅規制手段を後方又は前方に所要距離移動せしめると、これに連動して後側幅規制手段が前方又は後方に同一距離移動せしめられる。前側幅規制手段及び後側幅規制手段の各々には、通常、積層状態で収容されるシート部材の最上位のシート部材の先端角部に係止せしめられる爪部材も配設されている。容器本体には、更に、左右方向に移動自在な後端規制手段も配設されている。
【０００３】
上述したとおりのシート部材供給カセットを具備した画像形成機においては、シート部材供給カセットを上記引き出し位置に引き出して、容器本体内に積層状態の複数枚のシート部材を収容する。前側幅規制手段と後側幅規制手段とは夫々の直立規制壁間の間隔が収容すべきシート部材の幅に対応するように位置せしめられ、また後側幅規制手段は容器本体の先端壁からの距離がシート部材の送出方向長さに対応するように位置せしめられる。シート部材を収容したシート部材供給カセットがハウジング内の作用位置に移動せしめられると、ハウジング内に装備されている送出手段がシート部材に作用し、上記爪部材と協働して容器本体からシート部材を一枚毎に分離して右方又は左方に送出する。
【発明の開示】
【発明が解決しようとする課題】
【０００４】
上述した形態のシート部材供給カセットにおける前側幅規制手段及び後側幅規制手段は、引き出し位置に引き出された状態においては、収容すべきシート部材の幅に応じて充分容易に前後方向に移動せしめられることが必要であるが、一旦所定位置に設定された後においてはかかる所定位置に充分確実に保持されることが重要である。然るに、フロントローディング型のシート部材供給カセットの場合、引き出し位置から作用位置に移動せしめられる最終段階においてシート部材供給カセットの移動が急激に停止せしめられる傾向にあり、これに起因してシート部材から前側幅規制手段及び後側幅規制手段、特に後側幅規制手段に相当な衝撃が加えられることが少なくない。そして、従来の画像形成機においては、上記衝撃によって前側幅規制手段及び後側幅規制手段が前後方向に移動乃至振動せしめられるという問題が発生している。前側幅規制手段及び後側幅規制手段が前後方向に移動乃至振動せしめられると、容器本体に収容されている複数枚のシート部材のうちの最上位のシート部材或いは最上位から数枚のシート部材が上記爪部材から離脱せしめられて爪部材の上方に位置するようになり、一度に２枚以上のシート部材が送出されてしまう、送出されるシート部材が大幅に傾斜せしめられる、或いはシート部材の送出に失敗してしまう、等の事態が誘発される。
【０００５】
本発明は上記事実に鑑みてなされたものであり、その主たる技術課題は、比較的簡潔な構成で安価に製作することができるにもかかわらず、シート部材供給カセットが引き出し位置に位置せしめられている時には、必要に応じて充分容易に前側幅規制手段及び後側幅規制手段を前後方向に移動せしめることを許容するが、シート部材供給カセットが引き出し位置から作用位置に移動せしめられる最終段階において前側幅規制手段及び後側幅規制手段、特に後側幅規制手段に相当大きな衝撃が加えられても、前側幅規制手段及び後側幅規制手段が前後方向に移動乃至振動せしめられることが確実に防止することができるロック機構を備えた画像形成機を提供することである。
【課題を解決するための手段】
【０００６】
本発明によれば、ハウジングと、該ハウジング内の作用位置と該作用位置から前方に引き出された引き出し位置との間を前後方向に移動自在に該ハウジングに装着されたシート部材供給カセットとを具備し、該シート部材供給カセットは容器本体と該容器本体に前後方向に移動自在に配設された前側幅規制手段及び後側幅規制手段とを含み、該前側幅規制手段は後方に延出する延出部を有する底壁と該底壁から上方に延びる直立規制壁とを有し、該後側幅規制手段は前方に延出する延出部を有する底壁と該底壁から上方に延びる直立規制壁とを有し、該容器本体には相互に平行に延びる該前側幅規制手段の該延出部と該後側幅規制手段の該延出部との間に位置する回転自在なピニオン歯車が配設されており、該前側幅規制手段の該延出部と該後側幅規制手段の該延出部とには該ピニオン歯車に係合せしめられるラックが刻設されており、
更に、該シート部材供給カセットの該容器本体に配設されたロック部材及び弾性偏倚手段並びに該ハウジングに配設された強制手段から成るロック機構を具備し、
該ロック部材は該前側幅規制手段の該延出部及び該後側幅規制手段の該延出部に近づくロック位置と該前側幅規制手段の該延出部及び該外側幅規制手段の該延出部から離隔する解除位置との間を移動自在に配設されており、
該弾性偏倚手段は該ロック部材を該解除位置に弾性的に偏倚せしめ、該強制手段は該シート部材供給カセットが該引き出し位置から該作用位置に向けて所定位置を越えて後方に移動せしめられると、該ロック部材に作用して該弾性偏倚手段に抗して該ロック部材を該ロック位置に強制し、
該ロック部材は該前側幅規制手段の該延出部及び該後側幅規制手段の該延出部に略垂直に延びる延長部を有し、該延長部にはラックが刻設されており、該ロック部材が該ロック位置に強制せしめられると該延長部のラックが該ピニオン歯車に係合せしめられて該ピニオン歯車が回転され、該前側幅規制手段及び該後側幅規制手段が互いに近づく方向に所定距離移動せしめられて該前側幅規制手段の該直立規制壁及び該後側幅規制手段の該直立規制壁がシート部材の周縁に押圧せしめられる、
ことを特徴とする画像形成機が提供される。
【０００７】
好ましくは、該ピニオン歯車は該ロック部材の該延長部に刻設された該ラックが係合せしめられる上部係合部、該前側幅規制手段の該延出部と該後側幅規制手段の該延出部とに刻設された該ラックが係合せしめられている下部係合部、及び該上部係合部と該ピニオン歯車の回転軸との間或いは該下部係合部と該ピニオン歯車の該回転軸との間に配設されたトルクリミッタを具備しており、該ロック部材が該ロック位置に強制せしめられると該延長部のラックが該ピニオン歯車に係合せしめられて該ピニオン歯車が回転され、該前側幅規制手段及び該後側幅規制手段が互いに近づく方向に所定距離移動せしめられて該前側幅規制手段の該直立規制壁及び該後側幅規制手段の該直立規制壁がシート部材の周縁に所定圧力で押圧せしめられる。
【発明の効果】
【０００８】
本発明の画像形成機においては、シート部材供給カセットが引き出し位置に位置せしめられている時には、必要に応じて充分容易に前側幅規制手段及び後側幅規制手段を前後方向に移動せしめることを許容するが、シート部材供給カセットが引き出し位置から作用位置に移動せしめられる最終段階において前側幅規制手段及び後側幅規制手段、特に後側幅規制手段に相当大きな衝撃が加えられても、前側幅規制手段及び後側幅規制手段が前後方向に移動乃至振動せしめられることが確実に防止することができる。
【発明を実施するための最良の形態】
【０００９】
以下、添付図面を参照して、本発明にかかる画像形成機の最良の実施形態について更に詳述する。
【００１０】
図１乃至図４を参照して説明すると、静電複写機及び静電印刷機の如き画像形成機はハウジング１０とシート部材供給カセット２とを具備している。シート部材供給カセット２は適宜の合成樹脂から成形することができる容器本体４を含んでいる。容器本体４は上面が開放された箱状主部６を有する。主部６の前縁には前縁枠部８が形成されている。かかる前縁枠部８は、後述するとおりにしてハウジング１０内に装着されるシート部材供給カセット２を前後方向（図４において上下方向）に移動せしめる際に操作者が把持することができる把持部を構成すると共に、ハウジング１０内の所要作用位置に位置せしめられた時にハウジング１０の前面の化粧外枠の一部を構成する。容器本体４の両側縁（左右側縁）には、上記主部６を超えて後方に延出せしめられている被案内レール１２及び１４が形成されている。図１に示す如く、シート部材供給カセット２が適用されるハウジング１０には、開放された前面から後方に実質上水平に延びる一対の静止案内レール１６及び１８が配設されており、かかる案内レール１６及び１８に上記被案内レール１２及び１４を係合せしめることによって、シート部材供給カセット２がハウジング１０内の所要作用位置とかかる作用位置から前方に引き出された引き出し位置との間を前後方向に移動自在に装着される。
【００１１】
図１及び図４を参照して説明を続けると、容器本体４の底面には、別個に形成された底壁部材２０が固定されている。所望ならば、容器本体４の底壁を規定している底壁部材２０を容器本体４と一体に形成することもできる。底壁部材２０の左半分上には一対の幅規制手段、即ち前側幅規制手段２２及び後側幅規制手段２４が前後方向（図４において上下方向）に移動自在に装着されている。前側幅規制手段２２は底壁２６とこの底壁２６の前縁から実質上鉛直に上方に延びる直立規制壁２８とを有する。後側幅規制手段２４は底壁３０とこの底壁３０の後縁から実質上鉛直に上方に延びる直立規制壁３２とを有する。前側幅規制手段２２の底壁２６には後方に延出する延出部３４が形成されている。この延出部３４の左側面にはラック３６が刻設されている。同様に、後側幅規制手段２４の底壁３０には前方に延出する延出部４０が形成されている。一方、上記底壁部材２０の上面の前後方向中央部には、実施上鉛直に延びる中心軸線を中心として回転自在にピニオン歯車４６が装着されている。前側幅規制手段２２は、その延出部３４の左側面に形成されているラック３６をピニオン歯車４６に係合せしめて、底壁部材２０上に装着される。後側幅規制手段２４は、その延出部４０の右側面に形成されているラック４２がピニオン歯車４６に係合せしめて、底壁部材２０上に装着される。かくして、前側幅規制手段２２及び後側幅規制手段２４の双方が底壁部材２０上に前後方向に移動自在に装着されると共に、前側幅規制手段２２と後側幅規制手段２４との前後方向移動がラック３６及び４２並びにピニオン歯車４６によって連動せしめられる。前側幅規制手段２２が後方に所定距離移動せしめられると、これに連動せしめられて後側幅規制手段２４が前方に同一距離移動せしめられ、前側幅規制手段２２が前方に所定距離移動せしめられると、これに連動せしめられて後側幅規制手段２４が後方に同一距離移動せしめられる。前側幅規制手段２２及び後側幅規制手段２４の各々には、周知の形態でよい爪部材５２及び５４が配設されている。図示の実施形態におけるピニオン歯車４６は、図３を参照すれば理解されるとおり、後述するロック部材１２４の延長部１２８に刻設されたラック１２９が係合せしめられる上部係合部４７、前側幅規制手段２２の延出部３４と後側幅規制手段２４の延出部４０とに刻設されたラック３６及び４２が係合せしめられている下部係合部４９、及び下部係合部４９とピニオン歯車４６の回転軸５１との間に配設されたトルクリミッタ５３を具備している。図示の実施形態においては、トルクリミッタ５３は下部係合部４９とピニオン歯車４６の回転軸５１との間に配設されたが、これに代えてトルクリミッタ５３を上部係止部４７とピニオン歯車４６の回転軸５１との間に配設してもよい。
【００１２】
図１を参照して説明を続けると、上記底壁部材２０の右半部には、左右方向に移動自在に後端規制手段６０が装着されている。底壁部材２０の右半部には左右方向に延びる細長いスロット６２が形成されている。適宜の合成樹脂から形成することができる後端規制手段６０は、底壁６４とこの底壁６４から実質上鉛直に上方に延びる直立規制壁６６とを有する。底壁６４の下面には装着アーム（図示していない）が形成されており、かかる装着アームを弾性変形せしめて上記スロット６２を通して底壁部材２０の下面に係止せしめることによって、後端規制手段６０がスロット６２に沿って左右方向に移動自在に底壁部材２０に装着されている。
【００１３】
図１及び図２を参照して説明すると、容器本体４の主部には、更に、乗載板７２が装着される。適宜の金属板から形成することができる乗載板７２は上記底壁部材２０の左右方向略中央において前縁及び後縁の各々に装着部７４（図１には後縁に形成された装着部７４が図示されており、前縁に形成された装着部７４は図示されていない）を介して短軸７６を中心として旋回可能に取り付けられている。容器本体４において、底壁部材２０と乗載板７２との間には圧縮コイルばね或いはゴムのような弾性部材でよい弾性偏倚手段（図示していない）が配設されており、乗載板７２の左端部を上方に弾性的に偏倚する。かくして、乗載板７２或いはその上に載置されたシート部材の左端両角部が上記分離爪５２及び５４に押圧される。乗載板７２には、その左右方向中央部の前側及び後側に比較的大きな切欠８６及び８８が形成されている。上述した前側幅規制手段２２の直立規制壁２８及び後側幅規制手段２４の直立規制壁３２は乗載板７２の切欠８６及び８８を通って上方に突出する。乗載板７２の右端部にも比較的大きな切欠８９が形成されており、上記後端規制手段６０をかかる切欠８９内に移動せしめることができる。また、乗載板７２の下面には、後述するロック部材１２４の係止部１３１に係止せしめられるL字状の被係止部７３が形成されている。
【００１４】
上述したとおりのシート部材供給カセット２においては、前側幅規制手段２２及び後側幅規制手段２４はそれらの直立規制壁２８及び３２間の間隔が収容すべきシート部材の幅に対応する位置に位置付けられ、後端規制手段６０はその直立規制壁６８から底壁部材２０の左端までの距離が収容すべきシート部材の送出方向長さに対応する位置に位置付けられる。そして、多数枚のシート部材が積層状態で、その送出方向先半部を乗載板７２上に載置せしめて、容器本体４内に収容される。そして、上述した弾性偏倚手段の偏倚作用によって最上位のシート部材の先端両角部が分離爪５２及び５４に押圧せしめられる。ハウジング１０内の所要作用位置にシート部材供給カセット２が挿入されると、ローラ或いは無端ベルトの如き送出手段（図示していない）が最上位のシート部材に選択的に作用して、かかるシート部材を図２及び図４において左方向に送出せしめる。
【００１５】
而して、図示のシート部材供給カセット２における上述した構成は、本発明に従がって改良された新規構成に関するものではなく、本発明が適用されるが画像形成機におけるシート部材供給カセットの典型的構成を示すにすぎない。従がって、上述した構成についての詳細な説明は本明細書においては省略する。
【００１６】
図示のシート部材供給カセット２においては、上述した前側幅規制手段２２を設定位置にロックするためのロック手段９０が配設されている。かかるロック手段９０の構成は、特許３０９９２３１号公報に開示されているロック手段と実質上同一である。それ故に、その詳細な説明は本明細書においては省略する。
【００１７】
図２乃至図４を参照して説明を続けると、本発明に従って改良された画像形成機においては、後側幅規制手段２４に関連せしめて、ロック機構１２２が配設されていることが重要である。かかるロック機構１２２は容器本体４に配設されたロック部材１２４及び弾性偏倚手段１２５並びにハウジング１０に配設された強制手段１２７から構成されている。
適宜の合成樹脂から構成することができるロック部材１２４は、実質上水平に延びる基板部１２６とこの基板部１２６の右端から延出する延長部１２８とを含んでいる。基板部１２６の上面には、上述した乗載板７２の下面に形成された被係止部７３を係止める係止部１３１が設けられており、延長部１２８にはピニオン歯車４６に係合せしめられるラック１２９が刻設されている。圧縮コイルばね或いはゴムのような弾性部材でもよい弾性偏倚手段１２５は、その一端はロック部材１２４の基板部１２６に圧接せしめられており、他端は底壁部材２０に設けられた固定壁（図示していない）に圧接せしめられており、ロック部材１２４を解除位置（図２及び図４において実線で図示する位置）に弾性的に偏倚せしめている。ロック部材１２４の延長部１２８に形成されたラック１２９は、ロック部材１２４が解除位置（図２及び図４において実線で図示する位置）に位置せしめられる際においてはピニオン歯車４６に係合しないように形成されているが、ロック部材１２４がロック位置（図２及び図４において二点鎖線で図示する位置）に位置せしめられている際においてはピニオン歯車４６に係合するように形成されている。上述した乗載板７２の左端部を上方に偏倚する弾性偏倚手段（図示していない）の偏倚作用に抗して乗載板７２の左端部を下降せしめると、被係止部７３が係止部１３１の傾斜導入面に作用してロック部材１２４を弾性偏倚手段１２５の偏倚作用に抗して図２において若干右方に移動せしめ、そして乗載板７２の被係止部７３が係止部１３１の傾斜導入面を通過して、ロック部材１２４は弾性偏倚手段１２５の偏倚作用によって元の解除位置（図２及び図４において実線で図示する位置）に戻されて、乗載板７２の被係止部７３がロック部材１２４の係止部１３１の傾斜導入面の下方に設けられた係止面に係止められる。かくして、乗載板７２は図２において実線で図示する下降位置に拘束される。ロック機構１２２を構成する強制手段１２７は、ハウジング１０に配設されている上記静止案内レール１８と一体に形成された押圧片から構成されている。静止案内レール１８の、前後方向に見て中間部から後方に位置する押圧片は、前方に向かって左方に傾斜して延びる傾斜前端部１７０とこれに続いて傾斜することなく後方に延びる主部１７２とを有する。
【００１８】
図１と共に図２及び図５及び図６を参照して、容器本体４内に積層状態の複数枚のシート部材を収容したシート部材供給カセット２が引き出し位置から作用位置に移動せしめられる際について説明する。シート部材供給カセット２がハウジング１０内から前方に引き出された引き出し位置に位置せしめられている時には、ロック機構１２２のロック部材１２４は弾性偏倚手段１２５の偏倚作用によって解除位置（図２及び図４において実線で図示する位置）に位置せしめられている。次いで、シート部材供給カセット２を引き出し位置からハウジング１０内の作用位置に向けて後方に移動せしめると、強制手段１２７の傾斜前端部１７０がロック部材１２４の基板部１２６の先端部に干渉し始め、これによってロック部材１２４は弾性偏倚手段１２５の偏倚作用に抗して図５において右方に漸次移動せしめられる。強制手段１２７とロック部材１２４の基板部１２６の先端部との干渉は、夫々の傾斜前短部１７０と基板部１２６の傾斜面との協働によって開始され、従って充分円滑に開始される。シート部材供給カセット２が所要位置まで後方に移動せしめられると、強制手段１２７の主部１７２がロック部材１２４の先端部における傾斜面の間に形成された平坦面に干渉するようになり、ロック部材１２４は図６に図示するロック位置まで移動され、そしてシート部材供給カセット２がハウジング１０内の作用位置に位置せしめられている間は、ロック部材１２４は上記ロック位置に維持される。ロック部材１２４が上記ロック位置に強制せしめられるとロック部材１２４の延長部１２８のラック１２９がピニオン歯車４６に係合せしめられてピニオン歯車４６が回転され、前側幅規制手段２２及び後側幅規制手段２４が互いに近づく方向に所定距離移動せしめられて前側幅規制手段２２の直立規制壁２８及び後側幅規制手段２４の直立規制壁３２がシート部材の周縁に押圧せしめられる。これによって後側幅規制手段２４が前後方向に移動することが防止されると共にラック４２とピニオン歯車４６との間に不可避的に存在する遊びに起因してラック４２及びピニオン歯車４６が相対的に移動して後側幅規制手段２４及び前側幅規制手段２２の前後方向の移動が阻止される。また、図示の実施形態における画像形成装置においては、ピニオン歯車４６にトルクリミッタ５３が内蔵されているので、前側幅規制手段２２の直立規制壁２８及び後側幅規制手段２４の直立規制壁３２が用紙の周縁が過度に押圧せしめて用紙折れが発生することがない。
【００１９】
次いで、シート部材供給カセット２が引き出し位置に引き出されると、ロック部材１２４の基板部１２６が強制手段１２７から離脱せしめられ、従って弾性偏倚手段１２５の偏倚作用によってロック部材１２４が解除位置に戻される。
【図面の簡単な説明】
【００２０】
【図１】本発明に従って構成されたシート部材供給カセットの好適実施例を、それが適用される画像形成機のハウジングと共に示す斜面図。
【図２】図１に示すシート部材供給カセットの一部を示す断面図。
【図３】図１に示すシート部材供給カセットのピニオン歯車の周辺部を示す断面図。
【図４】図１に示すシート部材供給カセットの平面図。
【図５】ロック部材を解除位置に弾性的に偏倚せしめている状態を示す図。
【図６】ロック部材を１２４がロック位置に位置せしめている状態を示す図。
【符号の説明】
【００２１】
２：シート部材供給カセット
４：容器本体
１０：画像形成機のハウジング
２２：前側幅規制手段
２４：後側幅規制手段
２６：前側幅規制手段の底壁
２８：前側幅規制手段の直立規制壁
３０：後側幅規制手段の底壁
３２：後側幅規制手段の直立規制壁
３４：前側幅規制手段における底壁の延出部
３６：ラック
４０：後側幅規制手段における底壁の延出部
４２：ラック
４６：ピニオン歯車
４７：上部係止部
４９：下部係止部
５１：回転軸
５３：トルクリミッタ
１２２：ロック機構
１２４：ロック部材
１２５：弾性偏倚手段
１２７：強制手段
１２８：延長部
１２９：ラック
【図１】
2005206340.tif 000003
【図２】
2005206340.tif 000004
【図３】
2005206340.tif 000005
【図４】
2005206340.tif 000006
【図５】
2005206340.tif 000007
【図６】
2005206340.tif 000008